(57)【特許請求の範囲】
【請求項１】
光磁気記録媒体からの反射レーザ光を、特定平面内において偏向方向の異なる３光束に分離し、そのうちの１光束をサーボ信号用光束とし、他の２光束をデータ信号用光束とする光束分離手段と；
この光束分離手段で分離された３光束をさらに、該光束分離手段による光束分離方向とは直交する方向に２分割し、該２分割光束に、光軸方向に関する正負方向のディフォーカスを生じさせる回折素子と；
この回折素子により分割された上記サーボ信号用光束の２分割光束を受光する、光軸方向の同一位置における平面内に位置する一対のサーボ用受光素子と；
上記２つのデータ信号用光束を受光する、サーボ用受光素子と同一の光軸方向位置における上記平面内に位置する２つのデータ用受光素子と；
を備え、
上記２つのデータ信号用光束は、前記回折素子を通過することによりそれぞれ一対の光束に分岐され、該一対ずつで２つのデータ用受光素子に受光されることを特徴とする光磁気ヘッド装置。
【請求項２】
光磁気記録媒体からの反射レーザ光を、特定平面内において２分割し、この２分割光束に、光軸方向に関する正負方向のディフォーカスを生じさせる回折素子と；
この回折素子で２分割された光束をそれぞれ、該回折素子による光束分割方向とは直交する平面内において偏向方向の異なる３つ以上の光束に分離し、そのうちの１つの２分割光束をサーボ信号用光束とし、他の２つの２分割光束をデータ信号用光束とする光束分離手段と；
この光束分離手段により分離されたサーボ信号用光束の２分割光束を受光する、光軸方向の同一位置における平面内に位置する一対のサーボ用受光素子と；
上記光束分離手段により分割された２つのデータ信号用光束の２分割光束をそれぞれに受光する、サーボ用受光素子と同一の光軸方向位置における上記平面内に位置する一対ずつのデータ用受光素子と；
を備えたことを特徴とする光磁気ヘッド装置。
【請求項３】
請求項１又は請求項２において、光束分離手段は、複屈折性を有する結晶性偏光素子であり、回折素子は、位相型の非偏光性ホログラム素子からなっている光磁気ヘッド装置。
【請求項４】
請求項３において、結晶性偏光素子は、ウォラストンプリズムである光磁気ヘッド装置。
【請求項５】
請求項１〜４のいずれか１項において、サーボ用受光素子とデータ用受光素子とは、同一のパッケージに収容されている光磁気ヘッド装置。
【発明の詳細な説明】
【０００１】
【技術分野】
本発明は、光磁気記録媒体に対する情報の記録、再生または消去を行なう光磁気ヘッド装置に関する。
【０００２】
【従来技術及びその問題点】
光磁気ヘッド装置として従来、光ディスク及び光カード等の光磁気記録媒体からの反射レーザ光を、サーボ信号用光束とデータ信号用光束に分離する構造のものが知られている。このような光磁気ヘッド装置に周知のスポットサイズ法を適用すれば、２分割したサーボ信号用光束を受光した受光素子の検知信号に基づいて、該２分割光束のスポット径が同一になったときディスク面でビームが合焦するようにサーボをかけ、この合焦状態を維持することが可能となる。一方、データ信号用光束は、サーボ信号用光束とは偏光状態が異なる光束に分割されて、サーボ信号用受光素子とは別の受光素子に入力され、これによりデータ信号（光磁気記録信号ＭＯ）が得られる。
【０００３】
このような基本構成を有する光磁気ヘッド装置では、サーボ信号用光束とデータ信号用光束の分離分割構造、光束用の受光素子の配置構造、及び受光素子の信号処理回路等に各種の提案がなされており、光学系がより単純で、サーボ信号とデータ信号とが互いに影響し合わず受光素子の配置構造が単純なものの出現が望まれている。さらに同光磁気ヘッド装置では、回路構成及びその電気的信号処理が容易で、小型軽量構造からなるものの出現が望まれている。しかしながら、これらの要望を満たすような装置の実現は困難であった。
【０００４】
【発明の目的】
本発明は、従来の光磁気ヘッド装置に関する上記問題意識に基づきなされたものであり、光学系がより単純で、サーボ信号とデータ信号が互いに影響し合わず、受光素子の配置構造が単純で回路構成及びその電気的信号処理も容易な小型軽量の光磁気ヘッド装置を提供することを目的とする。
【０００５】
【発明の概要】上記目的を達成するための本発明は、光磁気記録媒体からの反射レーザ光を、特定平面内において偏向方向の異なる３光束に分離し、そのうちの１光束をサーボ信号用光束とし、他の２光束をデータ信号用光束とする光束分離手段と；この光束分離手段で分離された３光束をさらに、該光束分離手段による光束分離方向とは直交する方向に２分割し、該２分割光束に、光軸方向に関する正負方向のデフォーカスを生じさせる回折素子と；この回折素子により分割された上記サーボ信号用光束の２分割光束を受光する、光軸方向の同一位置における平面内に位置する一対のサーボ用受光素子と；上記２つのデータ信号用光束を受光する、サーボ用受光素子と同一の光軸方向位置における上記平面内に位置する２つのデータ用受光素子とを備え、２つのデータ信号用光束は、回折素子を通過することによりそれぞれ一対の光束に分岐され、該一対ずつで２つのデータ用受光素子に受光されることを特徴としている。
【０００６】
また本発明は、光磁気記録媒体からの反射レーザ光を、特定平面内において２分割し、この２分割光束に、光軸方向に関する正負方向のデフォーカスを生じさせる回折素子と；この回折素子で２分割された光束をそれぞれ、該回折素子による光束分割方向とは直交する平面内において偏向方向の異なる３つ以上の光束に分離し、そのうちの１つの２分割光束をサーボ信号用光束とし、他の２つの２分割光束をデータ信号用光束とする光束分離手段と；この光束分離手段により分離されたサーボ信号用光束の２分割光束を受光する、光軸方向の同一位置における平面内に位置する一対のサーボ用受光素子と；上記光束分離手段により分割された２つのデータ信号用光束の２分割光束をそれぞれに受光する、サーボ用受光素子と同一の光軸方向位置における上記平面内に位置する一対ずつのデータ用受光素子とを備えたことを特徴としている。
【０００７】
【発明の実施例】
以下図示実施例に基づいて本発明を説明する。図１は、本発明に係る光磁気ヘッド装置の信号検出系の第１実施例を示す斜視図である。この光磁気ヘッド装置の信号検出系は１軸系からなり、光源部１１と、プリズムブロック部１２と、対物光学系１３と、信号検出部１４と、処理部１５とを備えている。
【０００８】
光源部１１は、発散光束を発生させる半導体レーザ１６と、この半導体レーザ１６からの発散光束を平行光束に変換するコリメータレンズ１７と、このコリメータレンズ１７からの平行光束の形状を整形するアナモフィックプリズム１８とを備えている。
【０００９】
プリズムブロック部１２は、アナモフィックプリズム１８からの光束の形状を整形して光束の断面を円形状にするアナモフィックプリズム１９、及び、このアナモフィックプリズム１９に接合された集光レンズ２１と直角プリズム２０とを備えている。アナモフィックプリズム１９と直角プリズム２０の接合面は、ハーフミラー面２２となっている。
【００１０】
光源部１１からの光束の一部は、ハーフミラー面２２で反射した後集光レンズ２１を介して受光素子５０上に集光され、他の光束は、ハーフミラー面２２を透過した後、立上げミラープリズム２３で上方に向け反射される。また受光素子５０は、入射した光束を変換して、半導体レーザ１６の自動出力調整用の信号を生成する。
【００１１】
対物光学系１３は、ハーフミラー面２２を透過したアナモフィックプリズム１９からの光束を反射する立上げミラープリズム２３と、この立上げミラープリズム２３からの光束を光磁気ディスク（光磁気記録媒体）２４に収束させる対物レンズ２５とを備えている。この対物レンズ２５は、光磁気ディスク２４の半径方向Ｘと平行に駆動されるヘッド（図示せず）内に、立上げミラープリズム２３と共に設けられている。対物レンズ２５は、このヘッドの駆動により半径方向Ｘと平行に移動され、該ヘッド内のアクチュエータ（図示せず）によりＺ方向と平行に移動される。
【００１２】
光磁気ディスク２４からの反射光は、対物レンズ２５を透過した後、立上げミラープリズム２３でプリズムブロック部１２に向けて反射され、ハーフミラー面２２で反射されて信号検出部１４に入射される。この信号検出部１４は、ウォラストンプリズム（光束分離手段）２６と、ホログラム板（回折素子）２７と、集光レンズ２８と、複合センサ２９とを備えている。
【００１３】
ウォラストンプリズム２６は、複屈折性を有する結晶性偏光素子であり、図２に示すように、偏光方向ａの直線偏光である、光磁気ディスク２４からの反射レーザ光（光束Ｌ）を、特定平面内において偏向方向の異なる３光束Ａ１  、Ｂ１  、Ｃ１  に分離させる。ウォラストンプリズム２６は、所望の光量分割比を得るために、第１の結晶材を光束入射側から見た状態でその結晶軸方向をＸ’軸を起点として光軸ｏまわりに−４５゜或は＋４５゜方向に傾け、同様に第２の結晶材をその結晶軸方向を光軸ｏまわりに＋７１．５゜或は−７１．５゜方向に傾け、これら両結晶材を接合することによって構成されている。なお、ウォラストンプリズム２６は、これ以外の結晶軸方向の組合わせによっても所望の光量分割比を得ることが可能であることは言うまでもない。
【００１４】
光束Ａ１  は、光束Ｌの偏光方向ａと略平行な方向に偏光方向をもつ偏光成分であり、光束Ｃ１  は、光束Ｌの偏光方向ａと略直交する方向ｂの偏光方向をもつ偏光成分である。また光束Ａ１  と光束Ｃ１  の間に位置する光束Ｂ１  は、これらａ、ｂ両方向の偏光成分を有するものである。なお、図２における光束Ｌの偏光方向はａ（Ｘ’軸と平行方向）に限られず、Ｘ’軸と直交する方向であってもよい。また、ウォラストンプリズム２６を透過した光束Ａ１  の偏光方向は必ずしもａ（Ｘ’軸と平行方向）とは限られない。即ち、ウォラストンプリズム２６の光量分割条件の変更によっては、ａ以外の任意の偏光方向となることもある。同様に、ウォラストンプリズム２６を透過した光束Ｃ１  の偏光方向もｂ（Ｘ’軸と直交する方向）とは限られない。即ち、ウォラストンプリズム２６の光量分割条件の変更によっては、ｂ以外の任意の偏光方向となることもある。
【００１５】
上記ホログラム板２７は、偏光特性がない位相型の非偏光性ホログラム素子からなり、通常のパターニングと同様の方法で作成される。このようなホログラムは元来、物体で反射される光束の波面、或は物体を透過する光束の波面に参照波面を加えて干渉させ、その干渉縞の強度を記録媒体に記録したものであり、周知のデフォーカス波面（球面波）やチルト波面（傾斜した平面波）等を単独に、或は組合わせた干渉パターンとして記録したものである。
【００１６】
ホログラム板２７は、同心円状で断面矩形状の多数の凹凸部３０ａ、３０ｂ（図１２）を有する透明基材３０の一部を切り取ったような形状を呈している。図１１において、同心円状の凹凸部３０ａ、３０ｂの曲率中心はｘ軸上に位置している。つまり、円弧状のパターンであるこの凹凸部３０ａ、３０ｂは、透明基材３０の同心円状のデフォーカスパターンの中心部ではなく、ｘ軸方向にシフトした任意の部分を切り取った場合のパターンとして考えることができる。なお、任意の隣接する凹部３０ａと凸部３０ｂのデューティー比は略１：１となっている。
【００１７】
ホログラム板２７の多数の凹凸部３０ａ、３０ｂは、外周部ほどピッチｐ（図１２参照）が二次関数的に密になる同心円状のパターン（デフォーカス波面機能）と、図２のＸ’軸方向に凹凸部３０ａ、３０ｂと同ピッチを持つ直線状のパターン（チルト波面機能）とを合わせ持つような機能を有している。
【００１８】
ホログラム板２７は上記原理、構造により、入射光束にその光軸を正負に傾けるチルト成分（波面）を与え、同時に光軸方向に正負のデフォーカス成分（波面）を与えることができる。従って、これら２つのパターンを適宜設定することにより、光ディスクヘッドの性能を所望の状態に設定することができる。
【００１９】
本光磁気ヘッド装置は、光磁気ディスク２４の信号記録面に対してレーザ光束が適正に収束（合焦）したとき、ホログラム板２７によって分割された一対の光束それぞれのスポット形状が略同じ円形となるように、各構成要素が設定されている。この一対の光束は、光磁気ディスク２４の接離に起因して該ディスク２４上に適正に収束されないとき、それぞれのスポット形状が変化するため、所定演算後のデータに差を生じさせる（図３、図４、図８〜図１０参照）。
【００２０】
なお、本実施例のホログラム板２７の断面は矩形状であるが、断面形状はこれに限定されるものでなく、例えばｓｉｎ波形状、階段状、鋸歯状等とすることもできる。また図１２に示す溝深さｄを変えることにより、所望の光量比率に設定することができる。ホログラム板２７の凹凸部は、エッチングで侵食して成形することが可能であり、また他の物質を蒸着して積層成形することも可能である。
【００２１】
ホログラム板２７は、ウォラストンプリズム２６によって図２上下方向（Ｙ’方向）において３つに分離された光束Ａ１  、Ｂ１  、Ｃ１  を、この方向と直交する左右方向（Ｘ’方向）において２つの光束群Ａ２  、Ｂ２  、Ｃ３  及びＡ２  ’、Ｂ２  ’、Ｃ３  ’に分割し、該２分割の光束群に、ｏ方向に関する正負方向のデフォーカスを生じさせる（ｏは信号検出系の光軸（中心線）である）。この結果、光束Ｌは６分割されることとなり、この６分割された、一対ずつで３通りの光束Ａ２  、Ａ２  ’、Ｂ２  、Ｂ２  ’、Ｃ２  、Ｃ２  ’のうち、光束Ａ２  、Ａ２  ’及びＣ２  、Ｃ２  ’はそれぞれ、データ信号である光磁気記録信号ＭＯ及びプリフォーマット信号ＲＯ用として使用される。また光束Ｂ２  、Ｂ２  ’は、サーボ信号であるフォーカスエラー信号ＦＥ及びトラッキングエラー信号ＴＥ用として使用される。上記一対ずつで３通りの光束Ａ２  、Ａ２  ’、Ｂ２  、Ｂ２  ’、Ｃ２  、Ｃ２  ’のスポットは、いずれもデフォーカスが与えられているため左右において径が異なるが、上下においては略同径である。つまり、光束Ａ２  、Ｂ２  、Ｃ２  それぞれのスポット径は互いに略同じであり、光束Ａ２  ’、Ｂ２  ’、Ｃ２  ’のスポット径は互いに略同じであるが、Ａ２  、Ｂ２  、Ｃ２  の光束群とＡ２  ’、Ｂ２  ’、Ｃ２  ’の光束群とではスポット径は互いに異なる（図５と図６に、左右の一方の側の光束Ａ２  、Ｂ２  、Ｃ２  の照射状態を示す）。
【００２２】
複合センサ２９は、集光レンズ２８を透過した、ホログラム板２７からの６分割された光束をそれぞれに受光して電気信号に変換するデータ用受光素子３１ａ、３１ｂ、３３ａ、３３ｂ及びサーボ用受光素子３２ａ、３２ｂを備えている。これら６つの受光素子３１ａ、３１ｂ、３２ａ、３２ｂ、３３ａ、３３ｂは、光束Ｌ（光軸ｏ）と直交する同一平面、即ち光軸ｏ方向の同一位置における平面上に位置され、しかも同一のパッケージ２９ａに収容されてコンパクトにまとめられている。複合センサ２９が有する各受光素子３１ａ、３１ｂ、３２ａ、３２ｂ、３３ａ、３３ｂは、６分割された光束Ａ２  、Ａ２  ’、Ｂ２  、Ｂ２  ’、Ｃ２  、Ｃ２  ’をそれぞれに受光できるように、図２に示すように配置されている。すなわち、受光素子３１ａと３１ｂ、３２ａと３２ｂ、３３ａと３３ｂがそれぞれ一対とされ、これら一対ずつが図２の上下方向（Ｙ’方向）において３段に配置されている。これらの受光素子３１ａ、３１ｂ、３２ａ、３２ｂ、３３ａ、３３ｂはまた、上下の配置方向と直交する方向（Ｘ’方向）において、３つで１組ずつとした左右で一対のセンサ群（３１ａ，３２ａ，３３ａと、３１ｂ，３２ｂ，３３ｂ）としても区別される。
【００２３】
一対のデータ用受光素子３１ａ、３１ｂは、光磁気記録信号ＭＯ及びプリフォーマット信号ＲＯの検出に係るものである。図７に示されるように、データ用受光素子３１ａは、ホログラム板２７からの偏光方向ａの光束を受光したとき出力ｈ１  を出力する。データ用受光素子３１ｂは、ホログラム板２７からの偏光方向ｂの光束を受光したとき出力ｈ２  を出力する。
【００２４】
また、一対のサーボ用受光素子３２ａ、３２ｂは、フォーカスエラー信号ＦＥ及びトラッキングエラー信号ＴＥの検出に係るものである。サーボ用受光素子３２ａ、３２ｂはそれぞれの受光面が、図２のＹ’と平行な方向（ディスク半径方向と対応する方向）において３分割されている。サーボ用受光素子３２ａは、ホログラム板２７からの光束を分割面ｄ１  、ｅ１  、ｆ１  で受光したとき、各分割面ｄ１  、ｅ１  、ｆ１  に対応させた出力ｉ１  、ｉ２  、ｉ３  を発生させる。サーボ用受光素子３２ｂは、ホログラム板２７からの光束を分割面ｄ２  、ｅ２  、ｆ２  で受光したとき、各分割面ｄ２  、ｅ２  、ｆ２  に対応させた出力ｊ１  、ｊ２  、ｊ３  を発生させる。
【００２５】
一対のサーボ用受光素子３２ａ、３２ｂに入射する光束のスポット位置及び径は、対物レンズ２５が光磁気ディスク２４に近い場合に図８に示すようになり、合焦状態の場合に図９に示すように左右同一となり、対物レンズ２５が光磁気ディスク２４から遠い場合に図１０に示すようになる。なお、受光素子３２ａ、３２ｂの受光面の分割は、３分割に限定されない。
【００２６】
一対のデータ用受光素子３３ａ、３３ｂは、光磁気記録信号ＭＯ及びプリフォーマット信号ＲＯの検出に係るものである。データ用受光素子３３ａは、ホログラム板２７からの偏光方向ａの光束を受光したとき出力ｋ１  を出力する。データ用受光素子３３ｂは、ホログラム板２７からの偏光方向ｂの光束を受光したとき出力ｋ２  を出力する。なお、各データ用及びサーボ用受光素子３１ａ、３１ｂ、３２ａ、３２ｂ、３３ａ、３３ｂの配置は、図２や図７に示す配置に限定されるものではない。例えば、データ用受光素子３１ａ、３１ｂ、及びデータ用受光素子３３ａ、３３ｂの２組のうち少なくとも一方の組は、２分割しない１つの受光素子から構成することができる。
【００２７】
また処理部１５は、図７に示されるように、加算回路３６〜４１、４４と、減算回路４２、４３、４５とを備えている。
【００２８】
加算回路３６は、サーボ用受光素子３２ａの分割面ｄ１  で受光したときの出力ｉ１  と、分割面ｆ１  で受光したときの出力ｉ３  と、サーボ用受光素子３２ｂの分割面ｅ２  で受光したときの出力ｊ２  との和を演算して減算回路４２に送る。加算回路３７は、サーボ用受光素子３２ａの分割面ｅ１  で受光したときの出力ｉ２  と、サーボ用受光素子３２ａの分割面ｄ２  で受光したときの出力ｊ１  と、分割面ｆ２  で受光したときの出力ｊ３  との和を演算して減算回路４２に送る。減算回路４２は、加算回路３６、３７からの出力の差を、次式、
ＦＥ＝（ｉ１  ＋ｉ３  ＋ｊ２  ）−（ｉ２  ＋ｊ１  ＋ｊ３  ）
により演算して、フォーカスエラー信号ＦＥを生成する。
【００２９】
加算回路３８は、サーボ用受光素子３２ａの分割面ｆ１  で受光したときの出力ｉ３  と、サーボ用受光素子３２ａの分割面ｄ２  で受光したときの出力ｊ１  との和を演算して減算回路４３に送る。加算回路３９は、サーボ用受光素子３２ａの分割面ｄ１  で受光したときの出力ｉ１  と、サーボ用受光素子３２ａの分割面ｆ２  で受光したときの出力ｊ３  との和を演算して減算回路４３に送る。減算回路４３は、加算回路３８、３９からの出力の差を次式、
ＴＥ＝（ｉ３  ＋ｊ１  ）−（ｉ１  ＋ｊ３  ）
により演算して、トラッキングエラー信号ＴＥを生成する。
【００３０】
加算回路４０は、データ用受光素子３３ａで受光したときの出力ｋ１  と、データ用受光素子３３ｂで受光したときの出力ｋ２  との和を演算して、加算回路４４と減算回路４５に送る。加算回路４１は、データ用受光素子３１ａで受光したときの出力ｈ１  と、データ用受光素子３１ｂで受光したときの出力ｈ２  との和を演算して、加算回路４４と減算回路４５に送る。加算回路４４は、加算回路４０と４１からの出力の和を、次式、
ＲＯ＝（ｋ１  ＋ｋ２  ）＋（ｈ１  ＋ｈ２  ）
により演算して、プリフォーマット信号ＲＯを生成する。また減算回路４４は、加算回路４０と４１からの出力の差を、次式、
ＭＯ＝（ｋ１  ＋ｋ２  ）−（ｈ１  ＋ｈ２  ）
により演算して、光磁気記録信号ＭＯを生成する。
【００３１】
これらのフォーカスエラー信号ＦＥ、トラッキングエラー信号ＴＥ、プリフォーマット信号ＲＯ、及び光磁気記録信号ＭＯが、再生回路（図示せず）及びサーボ回路（図示せず）にそれぞれ入力されて、しかるべき制御が実行される。
【００３２】
このように本光磁気ヘッド装置は、光磁気ディスク２４で反射した光束Ｌを、特定平面内において偏向方向の異なる３光束Ａ１  、Ｂ１  、Ｃ１  に分離し、そのうちの１光束Ｂ１  をサーボ信号用光束とし２光束Ａ１  、Ｃ１  をデータ信号用光束とするウォラストンプリズム２６を備え、このウォラストンプリズム２６で分離された３光束Ａ１  、Ｂ１  、Ｃ１  をさらにそれぞれ該ウォラストンプリズム２６による光束分離方向とは直交する方向に２分割するためのホログラム板２７を備え、これにより各２分割光束Ａ２  、Ｂ２  、Ｃ２  及びＡ２  ’、Ｂ２  ’、Ｃ２  ’を生成している。そして、このホログラム板２７によって分割されたサーボ信号用光束の２分割光束Ｂ２  及びＢ２  ’を受光するために、光軸ｏ方向の同一位置における平面内に位置する一対のサーボ用受光素子３２ａ、３２ｂを備え、ホログラム板２７によって分割された２つのデータ信号用光束の２分割光束Ａ２  、Ａ２  ’及びＣ２  、Ｃ２  ’をそれぞれ受光するために、サーボ用受光素子３２ａ、３２ｂと同一の光軸方向位置における平面内に位置する一対ずつのデータ用受光素子３１ａ、３１ｂ及び３３ａ、３３ｂを備えている。
【００３３】
上記構成により、信号検出系光路が１軸系で、受光素子の配置が単純な小型軽量の光磁気ヘッド装置が実現されている。また、この光磁気ヘッド装置はその光学系が単純な構成からなるが、データ信号用の受光素子とサーボ信号用の受光素子とを完全に分離し、サーボ信号を光磁気記録信号ＭＯやプリフォーマット信号ＲＯとは別に検出することができる。よって、データ信号とサーボ信号とが相互に影響するクロストークをなくし、信号処理系による信号処理を簡略化させ、この信号処理用の回路構成も簡略化させることが可能となる。
【００３４】
左右方向に分割された３つずつの光束Ａ２  、Ｂ２  、Ｃ２  、及びＡ２  ’、Ｂ２  ’、Ｃ２  ’はそれぞれホログラム板２７による±１次回折であり、デフォーカスの作用により光軸ｏ上で前後方向に焦点位置（集光位置）がずれている。しかし、図３に示すように、サーボ用受光素子３２ａ、３２ｂ、即ちデータ用受光素子３１ａ、３１ｂ、３３ａ、３３ｂを含む複合センサ２９の全体が、前後の焦点位置Ｆ１  、Ｆ２  の光軸ｏ方向における略中間に位置されているため、対物レンズ２５の合焦状態では、複合センサ２９に入射される光束Ｂ２  、Ｂ２  ’を始めとするＡ２  、Ｃ２  、Ａ２  ’、Ｃ２  ’それぞれのスポット径が、上下、左右方向において全て略同じになる。よって、左右のサーボ用受光素子３２ａ、３２ｂに基づくサーボ信号の出力状態を調整するだけで、フォーカスエラー、トラッキングエラー、光磁気記録及びプリフォーマットに関する適正な信号を出力すべきセンサー位置も同時に調整することができる。
【００３５】
図１３に、ウォラストンプリズム２６とホログラム板２７の光軸上での位置を反対にした、光磁気ヘッド装置の第２実施例を示す。同第２実施例において、ウォラストンプリズム２６とホログラム板２７以外の構成は、上記第１実施例と同じである。
【００３６】
本第２実施例の光磁気ヘッド装置は、光磁気ディスク２４からの反射レーザ光を、特定平面内において２分割し、この２分割光束Ｄ１  、Ｅ１  に光軸ｏ方向に関する正負のデフォーカスを生じさせるホログラム板２７を有し、このホログラム板２７で２分割された光束Ｄ１  、Ｅ１  をそれぞれ、該ホログラム板２７による光束分割方向とは直交する平面内において偏向方向の異なる３つ以上の光束Ｄ２  、Ｄ３  、Ｄ４  、及びＥ２  、Ｅ３  、Ｅ４  に分離するウォラストンプリズム２６を有している。これらの光束Ｄ２  、Ｄ３  、Ｄ４  、Ｅ２  、Ｅ３  、Ｅ４  のうちの１組の２分割光束Ｄ３  、Ｅ３  はサーボ信号用光束とされ、２組の２分割光束Ｄ２  、Ｅ２  及びＤ４  、Ｅ４  はデータ信号用光束とされる。本光磁気ヘッド装置はさらに、ウォラストンプリズム２６により分割された２分割光束Ｄ３  、Ｅ３  を受光する一対のサーボ用受光素子３２ａ、３２ｂを有し、ウォラストンプリズム２６により分割された２分割光束Ｄ２  、Ｅ２  及びＤ４  、Ｅ４  をそれぞれに受光する一対ずつのデータ用受光素子３１ａ、３１ｂ及び３３ａ、３３ｂを有している。これら受光素子３１ａ、３１ｂ、３２ａ、３２ｂ、３３ａ、３３ｂは全て、上記第１実施例と同様、光軸ｏ方向の同一位置における平面内に位置されている。
【００３７】
したがって、本第２実施例によれば、第１実施例と同様、信号検出系光路が１軸系で、受光素子の配置が単純な小型軽量の光磁気ヘッド装置を実現できる。この光磁気ヘッド装置は、その光学系が単純な構成からなるが、データ信号用の受光素子とサーボ信号用の受光素子とを完全に分離して、サーボ信号を光磁気記録信号ＭＯやプリフォーマット信号ＲＯと別個に検出することができる。よって、クロストークを防止し、信号処理系による信号処理を簡略化させ、この信号処理用の回路構成も簡略化させることができる。さらに、左右で一対のサーボ用受光素子３２ａ、３２ｂに基づくサーボ信号の出力状態を調整するだけで、フォーカスエラー、トラッキングエラー、光磁気記録、プリフォーマットに関する適正な信号を出力すべきセンサー位置の調整も同時に行なうことができる。
【００３８】
また、偏光ビームスプリッタ（ＰＢＳ）を用いると、入射光束は透過光と反射光に分離されて２軸系となり、信号検出系における反射面数が増えることになるが、上述の第１、第２の実施例では、このようなＰＢＳを使用せず、透過面のみからなる、大量生産が可能なウォラストンプリズム２６とホログラム板２７を用いて光束の多分割を実現させている。よって、第１、第２実施例の光磁気ヘッド装置は、反射面が少ないことにより各光学部品の設置上の誤差を減少させ、サーボ信号を安定させ、歩留まりを向上させることができるという利点を持つ。また本光磁気ヘッド装置は、比較的製造コストが高い偏光ビームスプリッタを用いないことにより、コストダウンも考慮されている。さらに第１、第２の実施例では、一対ずつの受光素子３１ａと３１ｂ、３２ａと３２ｂ、３３ａと３３ｂがそれぞれ、Ｘ’軸（図２）と平行な方向に配列されているため、各受光素子に対する、６分割させた各光束の照射位置の調整が容易に行なわれる。
【００３９】
なお、上記第１、第２の実施例において、集光レンズ２８に開口数（ＮＡ）の小さいものを使用する場合には、ホログラム板２７やウォラストンプリズム２６をこの集光レンズ２８の光路前方ではなく光路後方（複合センサ２９側）に配置することも可能である。
【００４０】
また、第１、第２の実施例では、光束をウォラストンプリズム２６による光束分離方向とは直交する方向に２分割する回折素子としてホログラム板２７を用いたが、同一の光束を一対の光束に分割する同様の機能を有する部材であれば、このホログラム板２７の代わりに用いることができる。
【００４１】
【発明の効果】
以上のように本発明によれば、光学系がより単純で、サーボ信号とデータ信号が互いに影響し合わず、受光素子の配置構造が単純で回路構成及びその電気的信号処理も容易な小型軽量の光磁気ヘッド装置を得ることができる。
【図面の簡単な説明】
【図１】本発明に係る光磁気ヘッド装置の第１実施例を示す要部の斜視図である。
【図２】同光磁気ヘッド装置の信号検出系を説明するための要部の斜視図である。
【図３】受光素子を一部省略した同信号検出系を図２の上方から見た平面図である。
【図４】図３の照射状態においてサーボ用受光素子が受けるスポットの状態を示す図である。
【図５】光磁気ヘッド装置の信号検出系を図２の側方から見た側面図である。
【図６】図５の照射状態において対応する受光素子が受けるスポットの状態を示す図である。
【図７】受光素子と処理部を説明するための概略的な回路図である。
【図８】複合センサのサーボ用受光素子に入射する光束のスポット位置を示す図である。
【図９】複合センサのサーボ用受光素子に入射する光束のスポット位置を示す図である。
【図１０】複合センサのサーボ用受光素子に入射する光束のスポット位置を示す図である。
【図１１】本実施例で用いるホログラム板の特性を説明するための図である。
【図１２】同ホログラム板の断面形状を拡大して示す図である。
【図１３】本発明に係る光磁気ヘッド装置の第２実施例を示す要部の斜視図である。
【符号の説明】
２４  光磁気ディスク（光磁気記録媒体）
２６  ウォラストンプリズム（光束分離手段）
２７  ホログラム板（回折素子）
２９  複合センサ
２９ａ  パッケージ
３１ａ  ３１ｂ  ３３ａ  ３３ｂ  データ用受光素子
３２ａ  ３２ｂ  サーボ用受光素子
Ｌ  光束（反射レーザ光）
【図１】
0003548259.tif 000002
【図２】
0003548259.tif 000003
【図３】
0003548259.tif 000004
【図４】
0003548259.tif 000005
【図５】
0003548259.tif 000006
【図６】
0003548259.tif 000007
【図７】
0003548259.tif 000008
【図８】
0003548259.tif 000009
【図９】
0003548259.tif 000010
【図１０】
0003548259.tif 000011
【図１１】
0003548259.tif 000012
【図１２】
0003548259.tif 000013
【図１３】
0003548259.tif 000014